(57)【要約】      （修正有）【課題】ヒーター装置とファン装置を組合わせ、熱風を遠くまで送り、空間を暖かく快適にするヒーターを提供する。【解決手段】ハロゲンヒーター等ヒーター装置１０の下方の適所にファン装置２０を結合する。また、該ヒーター装置１０とファン装置２０は、フレーム５０中に上下の二層５１、５２を設け、上層５１にヒーター装置１０を取付け、下層５２にファン装置２０を取付ける。ヒーター装置１０とファン装置２０は、上下の二つのフレームを設けたものとしてもよい。【選択図】図２
0003169834.tif 000002
【実用新案登録請求の範囲】
【請求項１】
ヒーターにおいて、ヒーター装置の下方にファン装置が結合され、該ファン装置の風力により該ヒーター装置が送出する熱風を遠方まで送ることを特徴とする、ヒーター。
【請求項２】
請求項１記載のヒーターにおいて、該ファン装置のファンは上下揺動或いは回転可能とされて、異なる角度に調整できることを特徴とする、ヒーター。
【請求項３】
請求項１記載のヒーターにおいて、該ヒーター装置の上方に庇が取付けられ、熱風が該庇に添って遠方に送られることを特徴とする、ヒーター。
【請求項４】
請求項３記載のヒーターにおいて、該庇の前端部分が上向きに折れ曲がった円弧状とされて熱風が円弧に添って上向きに送られることを特徴とする、ヒーター。
【請求項５】
請求項３記載のヒーターにおいて、該庇の適当な位置に精油装置が取付けられたことを特徴とする、ヒーター。
【請求項６】
請求項１記載のヒーターにおいて、該ヒーター装置はセラミックヒーター、赤外線ヒーター、ハロゲンヒーター、カーボンヒーター、灯油ヒーター、或いはファンヒーターのいずれかとされることを特徴とする、ヒーター。
【請求項７】
請求項１記載のヒーターにおいて、該ヒーター装置とファン装置の結合方式は、フレームが設けられ、該フレーム中に上下の二層が設けられ、そのうち上層に該ヒーター装置が取付けられ、下層に該ファン装置が取付けられたことを特徴とする、ヒーター。
【請求項８】
請求項１記載のヒーターにおいて、該ヒーター装置とファン装置の結合方式は、上下の二つのフレームが設けられ、そのうち上フレームにヒーター装置が取付けられ、下フレームにファン装置が取付けられたことを特徴とする、ヒーター。
【考案の詳細な説明】
【技術分野】
【０００１】
本考案はヒーターに係り、ヒーター装置とファン装置の組合せ設計により、ファン装置の風力によりヒーター装置が送出する熱風を遠くまで送り、空間を暖かく快適とし、各種のヒーター或いは類似の構造に適用されるものに関する。
【背景技術】
【０００２】
冬季或いは寒波が襲来する度に、多くの人が家電売場等でヒーターを購入する。しかし、ほとんどのヒーターは熱風口部分が最も熱く、すなわち最も暖かく、熱風口から離れるに従い、ヒーターが送出する熱風を感じられなくなり、ただヒーターの周りのみで暖をとることができる。しかし、ヒーターの出風口があまり大きくない時は非常に不便である。特に、ヒーターの出風口に接近しすぎると、火傷する危険もあり、ヒーターから離れすぎると、前述したように暖かくなく、且つ電気エネルギーを熱エネルギーに変換する効率も低い。
【０００３】
これにより、本考案者は上述の欠点を鑑み、空間を暖かく快適とし並びに熱対流効果を有するヒーターを提供し、それは使用者が簡単に操作、組立を行えるものとする。
【考案の概要】
【考案が解決しようとする課題】
【０００４】
本考案の主要な目的は、一種のヒーターを提供することにあり、それは、ヒーター装置とファン装置の組合せ設計により、ヒーター装置の下方の適所にファン装置が結合され、且つファン装置の風力によりヒーター装置が送出する熱風を遠くまで送ることができ、熱空気の対流効果を発生し、空間を暖かく快適となし、全体の実用性が増されたものとする。
【０００５】
本考案の次の目的は、一種のヒーターを提供することにあり、それは、ヒーター装置の上方に庇が設けられ、該庇の前端部分が上向きに折れ曲がった円弧状とされ、これにより熱空気が該庇に沿って対流してさらに遠くに送られ、これにより全体の便利性が増されたものとする。
【０００６】
本考案のさらに一つの目的は、一種のヒーターを提供することにあり、それは、庇の下方の熱空気対流部分にさらに精油装置が設けられ、吹き上げられる熱風中に淡い精油の香りを分散させ、これにより全体の機能性が増されたものとする。
【課題を解決するための手段】
【０００７】
請求項１の発明は、ヒーターにおいて、ヒーター装置の下方にファン装置が結合され、該ファン装置の風力により該ヒーター装置が送出する熱風を遠方まで送ることを特徴とする、ヒーターとしている。
請求項２の発明は、請求項１記載のヒーターにおいて、該ファン装置のファンは上下揺動或いは回転可能とされて、異なる角度に調整できることを特徴とする、ヒーターとしている。
請求項３の発明は、請求項１記載のヒーターにおいて、該ヒーター装置の上方に庇が取付けられ、熱風が該庇に添って遠方に送られることを特徴とする、ヒーターとしている。
請求項４の発明は、請求項３記載のヒーターにおいて、該庇の前端部分が上向きに折れ曲がった円弧状とされて熱風が円弧に添って上向きに送られることを特徴とする、ヒーターとしている。
請求項５の発明は、請求項３記載のヒーターにおいて、該庇の適当な位置に精油装置が取付けられたことを特徴とする、ヒーターとしている。
請求項６の発明は、請求項１記載のヒーターにおいて、該ヒーター装置はセラミックヒーター、赤外線ヒーター、ハロゲンヒーター、カーボンヒーター、灯油ヒーター、或いはファンヒーターのいずれかとされることを特徴とする、ヒーターとしている。
請求項７の発明は、請求項１記載のヒーターにおいて、該ヒーター装置とファン装置の結合方式は、フレームが設けられ、該フレーム中に上下の二層が設けられ、そのうち上層に該ヒーター装置が取付けられ、下層に該ファン装置が取付けられたことを特徴とする、ヒーターとしている。
請求項８の発明は、請求項１記載のヒーターにおいて、該ヒーター装置とファン装置の結合方式は、上下の二つのフレームが設けられ、そのうち上フレームにヒーター装置が取付けられ、下フレームにファン装置が取付けられたことを特徴とする、ヒーターとしている。
【考案の効果】
【０００８】
本考案のヒーターは、ヒーター装置の下方の適所にファン装置が結合され、且つファン装置の風力によりヒーター装置が送出する熱風を遠くまで送ることができ、並びに熱空気の対流効果を発生し、空間を暖かく快適となし、熱空気を対流させ且つ空気をさわやかとする多重の効果を有し、室内空気を暖かく且つ快適となす。
【図面の簡単な説明】
【０００９】
【図１】本考案の実施例の立体外観図である。
【図２】本考案の実施例の断面図である。
【図３】本考案の実施例の庇を増加した断面図である。
【図４】本考案の実施例の庇の前端を円弧状とした断面図である。
【図５】本考案の実施例の精油装置を加えた断面図である。
【図６】本考案の別の実施例の断面図である。
【図７】本考案の実施例の庇を増加した断面図である。
【図８】本考案の実施例の庇の前端を円弧状とした断面図である。
【図９】本考案の実施例の精油装置を加えた断面図である。
【考案を実施するための形態】
【００１０】
図１から図９を参照されたい。これらは本考案の実施例の表示図である。本考案は一種のヒーターの構造に係り、その特徴は、ヒーター装置１０の下方の適所にファン装置２０が結合され、且つファン装置２０の風力によりヒーター装置１０が送出する熱風１１を遠くまで送ることができ、並びに熱空気の対流効果を発生し、空間を暖かく快適となす。
【００１１】
そのうち、該ファン装置２０のファン２１は上下に揺動或いは回転可能で、異なる出風角度に調整可能である。
【００１２】
また、ヒーター装置１０の上方に庇３０が設けられ、熱風１１を該庇３０に添って流動させてさらに遠いところに送ることができる。該庇３０の前端部分３１は上向きに折り曲げられて円弧状に形成され、これにより熱風１１が円弧に添って上向きに送られる。
【００１３】
且つ庇３０の適当な位置にさらに精油装置４０が設けられ、吹き上げられた熱風１１に淡い精油の香りを付帯させ、室内空気にさわやかな芳香を与える。
【００１４】
該ヒーター装置１０はセラミックヒーター、赤外線ヒーター、ハロゲンヒーター、カーボンヒーター、灯油ヒーター、或いはファンヒーターのいずれかとされ得る。
【００１５】
また、該ヒーター装置１０とファン装置２０の結合方式は、フレーム５０が設けられ、フレーム５０中に上下の二層５１、５２が設けられ、並びにフレーム５０の上層５１にヒーター装置１０が取付けられ、フレーム５０の下層５２にファン装置２０が取付けられるか、或いはヒーター装置１０とファン装置２０の結合方式は、上下の二つのフレームが設けられ、該上フレームにヒーター装置１０が取付けられ、下フレームにファン装置２０が取付けられるものとされる。
【００１６】
図１から図９を参照されたい。これらは本考案の実施例の表示図及び別の実施例の表示図である。本考案のヒーターの最良の実施方式によると、ヒーター装置１０の下方の適所にファン装置２０が結合され、該ヒーター装置１０はセラミックヒーター、赤外線ヒーター、ハロゲンヒーター、カーボンヒーター、灯油ヒーター、或いはファンヒーターのいずれかとされ得る。
【００１７】
また、該ヒーター装置１０とファン装置２０の結合方式は、フレーム５０が採用され、該フレーム５０中に上下の二層５１、５２が設けられ（図２のとおり）、並びにフレーム５０の上層５１にヒーター装置１０が取付けられ、フレーム５０の下層５２にファン装置２０が取付けられる。ヒーター装置１０とファン装置２０の結合方式は、上下の二つのフレームを設けたものとしてもよく、そのうち、該上フレームと下フレームは一体成形の態様とするか、或いは、上フレームと下フレームを組合せ、嵌合方式で結合し（図示せず）。該上フレームにヒーター装置１０を取付け、下フレームにファン装置２０を取付ける。
【００１８】
該下層５２或いは該下フレームに取り付けたファン装置２０内のファン２１は、上下に揺動或いは回転可能で、これにより異なる角度に調整して異なる角度の風２１１を送出できる。ヒーター装置１０の電源がオンされる時、その送出する熱風１１は前方に向けて送られ、さらにファン装置２０の電源をオンし、並びにファン装置２０のファン２１を上向きに１５度から６０度の間の角度で調整し、ファン２１の送出する風２１１を上向きに送り、上向きに送られた風２１１がヒーター装置１０の送出する熱風１１に突き当たり、ヒーター装置１０の熱風１１を上に吹き上げ、熱風１１を各角部に分散させ、これにより、熱空気の対流効果を形成し、本考案に室内を暖かくし、熱空気対流と空気をさわやかにする多重効果を具備させ、室内空間を暖かく且つ快適とする。
【００１９】
また、ヒーター装置１０の上方に庇３０が設けられ、該庇３０はフレーム５０と組み合わされて一体とされるか（図３或いは図７のとおり）、或いは庇３０はヒーター装置１０と結合されて一体とされる（図示せず）。ファン装置２０のファン２１がヒーター装置１０の熱風１１を上に吹き上げる時、ヒーター装置１０の熱風１１は上向きに送られて庇３０に突き当たり、熱風１１は庇３０に添って前向きに送られて遠くまで至る。
【００２０】
さらに庇３０の前端部分３１は上向きに折れ曲がった円弧状とされ（図４或いは図８のとおり）、ヒーター装置１０の熱風１１が庇３０に添って庇３０の前端部分３１に至る時、該熱風１１は上向きに折れ曲がった円弧に添って上向きに吹き上がり、熱風１１が上向きにさらに高所に至った後に、対流してその他の空間部分に至り、熱風１１がさらに遠くに送られて、ヒーター装置１０から比較的離れた空間にも熱風１１が送られ、全体の空間が人に暖かさと快適さを感じさせる。
【００２１】
さらに、庇３０の適当な部分に精油装置４０が吊り掛けられるか（図５或いは図９のとおり）、或いは精油装置４０が括り付けられ、庇３０が上向きに吹き上げられた熱風１１を前向きに遠くに送る時、熱風１１が精油装置４０に吹き付けることで、精油を揮発させると共に、その吹き上げられた熱風１１中に淡い精油の香りを分散させ、精油の香りを空間中にまき散らし、空間を精油のさわやかな香りで充満する。
【００２２】
以上から本考案は以下の実用的な長所を有している。
１．ヒーター装置とファン装置の組合せにより、ファン装置の風によりヒーター装置の送出する熱風を前向きにさらに遠くに送り、空間を熱風で充満し、空間を暖かく快適となすことができる。
２．ヒーター装置の上方に庇が取付けられ、庇の前端に上向きに折れ曲がった円弧状部が設けられ、熱風が上に吹き上げられて高い部分に至った後に、各角部に至り、比較的良好な熱空気対流効果を形成し、これにより本考案は室内を暖かくし、熱空気対流と空気を爽やかとする多重効果を有する。
【符号の説明】
【００２３】
１０  ヒーター装置                １１  熱風
２０  ファン装置                  ２１  ファン
２１１  風                        ３０  庇
３１  前端部分                    ４０  精油装置
５０  フレーム                    ５１  上層
５２  下層
【図１】
0003169834.tif 000003
【図２】
0003169834.tif 000004
【図３】
0003169834.tif 000005
【図４】
0003169834.tif 000006
【図５】
0003169834.tif 000007
【図６】
0003169834.tif 000008
【図７】
0003169834.tif 000009
【図８】
0003169834.tif 000010
【図９】
0003169834.tif 000011